(57)【要約】【課題】背部を座部から取り外すことができ、しかも、座部をもって椅子を移動させることもできる、座部に背部を取り付ける取付機構を提供する。【解決手段】取付機構は、座部３に対し略垂直になるように取り付けられたＬ字金具７と、背部５に設けられた、Ｌ字金具７を挿抜可能な挿抜孔５２と、挿抜孔５２内に設けられた少なくとも２本の略平行な突起部５４であって、Ｌ字金具７の挿抜孔５２への挿抜方向に沿って長尺状に形成された突起部５４と、Ｌ字金具７のうち、挿抜孔５２への差し込み方向の中央部分であって、挿抜孔５２に差し込んだときに、突起部５４に対向する面に設けられた摩擦具７４と、を備える部分である。そして、この取付機構では、挿抜孔５２が、摩擦具７４が設けられたＬ字金具７を、嵌挿可能な大きさに形成されている。【選択図】  図４
2018089116.tif 000002
【特許請求の範囲】
【請求項１】
座部に、背部を取り付ける取付機構であって、
前記座部又は前記背部に対し略垂直になるように取り付けられた取付金具と、
前記取付金具が取り付けられていない側の前記座部又は前記背部に設けられた、前記取付金具を挿抜可能な挿抜孔と、
前記挿抜孔内に設けられた少なくとも２本の略平行な突起部であって、前記取付金具の前記挿抜孔への挿抜方向に沿って長尺状に形成された突起部と、
前記取付金具のうち、前記挿抜孔への差し込み方向の中央部分であって、前記挿抜孔に差し込んだときに、前記突起部に対向する面に設けられた摩擦部と、
を備え、
前記挿抜孔は、
前記摩擦部が設けられた前記取付金具を、嵌挿可能な大きさに形成されている
ことを特徴とする取付機構。
【請求項２】
請求項１に記載の取付機構において、
前記突起部の幅は、４ｍｍ〜８ｍｍであることを特徴とする取付機構。
【請求項３】
請求項２に記載の取付機構において、
前記突起部の幅は、約６ｍｍであることを特徴とする取付機構。
【請求項４】
請求項１〜３のいずれか１項に記載の取付機構において、
前記取付金具は、Ｌ字金具であることを特徴とする取付機構。
【請求項５】
請求項１〜４のいずれか１項に記載の取付機構において、
前記摩擦部は、プラスチックダンボールで形成されていることを特徴とする取付機構。
【発明の詳細な説明】
【技術分野】
【０００１】
本発明は、座部に、背部を取り付ける取付機構に関する。
【背景技術】
【０００２】
椅子の座部に背部を取り付ける場合、座部にＬ字金具の一辺を固定し、背部にこのＬ字金具の他の一辺を嵌挿可能な挿抜孔を設けておき、Ｌ字金具の他の一辺を挿抜孔に挿入し、挿抜孔が設けられた部分の外側からネジを螺入させて背部をＬ字金具に固定している。その後、背部にはクッション等が取り付けられ、ネジを螺入させた部分が覆い隠される。
【０００３】
この座部と背部とをＬ字金具で固定させた椅子は、例えば、パチンコ等の遊技場の椅子や、食堂の椅子、学校の椅子、待合室の椅子等として用いられている。
【発明の概要】
【発明が解決しようとする課題】
【０００４】
しかし、パチンコ店では、椅子越しに遊技機の清掃やメンテ作業をせねばならないことがあり、その場合、椅子の背部が邪魔であった。そのため、背部を座部から取り外し可能に構成することも考えられる。
【０００５】
ところが、パチンコ店では店内の設備が頻繁に入れ替えられ、そのとき椅子が邪魔になる。そのため、椅子を移動させたい場面が生ずるが、そのとき、椅子の背部が座部から取り外せてしまうと、いちいち座部を持って椅子を移動せねばならず手間であった。
【０００６】
そこで本発明は、背部を座部から取り外すことができ、しかも、座部をもって椅子を移動させることもできる、座部に背部を取り付ける取付機構を提供することを目的とする。
【課題を解決するための手段】
【０００７】
上記目的を達成するため、請求項１に記載の発明に係る取付機構は、座部に、背部を取り付ける取付機構であって、前記座部又は前記背部に対し略垂直になるように取り付けられた取付金具と、前記取付金具が取り付けられていない側の前記座部又は前記背部に設けられた、前記取付金具を挿抜可能な挿抜孔と、前記挿抜孔内に設けられた少なくとも２本の略平行な突起部であって、前記取付金具の前記挿抜孔への挿抜方向に沿って長尺状に形成された突起部と、前記取付金具のうち、前記挿抜孔への差し込み方向の中央部分であって、前記挿抜孔に差し込んだときに、前記突起部に対向する面に設けられた摩擦部と、を備え、前記挿抜孔は、前記摩擦部が設けられた前記取付金具を、嵌挿可能な大きさに形成されている。
【０００８】
本発明の取付機構は、摩擦部を備える取付金具を挿抜孔に挿入すれば、摩擦部を備える取付金具が挿抜孔に嵌挿される。しかも、挿抜孔内には突起部が設けられており、摩擦部は、挿抜孔の内壁面とは主には触れず、突起部と主に接触するだけなので、取付金具を挿抜孔に挿入するときの摩擦部と挿抜孔との摩擦は小さくて済む。そのため、本発明の取付機構を採用した椅子は、背部を座部から取り付けることも取り外すこともスムーズに行うことができる。
【０００９】
また、本発明の取付機構は、摩擦部が、挿抜孔への差し込み方向の中央部分に設置されているので、取付金具が挿抜孔の中で傾こうとすると、取付金具が、挿抜孔の中で、摩擦部を支点に曲がる力が働き、挿抜孔の内壁面に強く押し付けられる。一方、背部を持って椅子を移動させるため背部をつり上げると、座部と背部とがくの字に傾くので、取付金具が挿抜孔内で傾こうとする。つまり、本発明の取付機構を採用した椅子は、背部を持ち上げれば、取付金具が挿抜孔の中で挿抜孔に内壁面に強く押し付けられるので、座部とともに持ち上げることができる。
【００１０】
したがって、本発明の取付機構が採用された椅子を用いると、背部を座部から取り外すことができるので、背部を座部から外せば、椅子越しに行う作業の邪魔にならず、また、椅子を移動するときには、背部が座部から外れないので、座部を持って椅子を移動させることができる。
【００１１】
次に、請求項２に記載したように、突起部の幅は、４ｍｍ〜８ｍｍであってもよい。特に、請求項３に記載したように、突起部の幅は、約６ｍｍであってもよい。突起幅をこれらの幅にすると、取付金具を挿抜孔に対してスムーズに挿抜でき、しかも、取付金具を挿抜孔に挿入したとき、取付金具が挿抜孔に対して確実に嵌挿される。
【００１２】
尚、請求項４に記載したように、取付金具としては、Ｌ字金具を用いてもよい。
また、請求項５に記載したように、摩擦部は、プラスチックダンボールで形成されていてもよい。
【図面の簡単な説明】
【００１３】
【図１】本実施形態の取付機構を備える椅子の正面図、背面図、及び、右側面図である。
【図２】本実施形態の取付機構を備える椅子の座部に、Ｌ字金具を取り付けたものの正面図及び右側面図である。
【図３】（ａ）本実施形態の取付機構を備える椅子の背部の底面図である。（ｂ）図３中の３Ｂ−３Ｂ断面図である（図１（ｂ）中の３ｂ−３ｂラインで切った断面図である）。
【図４】（ａ）Ｌ字金具の側面図である。（ｂ）図３（ｂ）に対応する図で、Ｌ字金具を挿入した様子を示す図である。
【発明を実施するための形態】
【００１４】
以下に本発明の例示的な実施形態について図面を参照しながら説明する。
本実施形態の取付機構を備える椅子１は、図１に示すように、座部３と、背部５とを備えている。
【００１５】
座部３は、１０ｃｍ程度の厚みを有するものであり、底面から脚部４０が延設されていて、脚部４０の遊端側には円盤状の土台４２が取り付けられている。この土台４２によって、椅子１は安定的に床面上に設置される。
【００１６】
背部５は、板形状に形成されており、座部３の背面側の側面を覆う位置（図１（ｂ）参照）から、座部３とは反対側にやや傾斜しながら、座部３の上方側にかって延設されている。背部５の正面には、クッション５９がネジ等により背部５に取り付けられている。
【００１７】
座部３のうち背部５で覆われる側面側には、図２に示すように、背部５を座部３に取り付けるためのＬ字金具７が取り付けられている。このＬ字金具７は座部３には固定されている。
【００１８】
背部５は、図１（ｂ）に示すように、背部５の中央から下方に向かって延びる、他の部分よりも厚みのある厚手部５０が形成されている。
この厚手部５０は、図３に示すように、背部５の底面側から厚手部５０の延設方向に沿って形成された挿抜孔５２が形成されている。この挿抜孔５２は、座部３に固定されたＬ字金具７が挿抜可能な大きさの孔である。
【００１９】
挿抜孔５２内には、少なくとも２本の略平行な突起部であって、Ｌ字金具７の挿抜孔５２への挿抜方向に沿って長尺状に形成された突起部５４が形成されている。突起部５４の幅は、約６ｍｍである。
【００２０】
Ｌ字金具７は、図４に示すように、座部３に固定される辺側７０よりも、背部５に挿抜される辺側７２のほうが長尺状に形成されている。Ｌ字金具７の長尺状の辺側７２の長手方向中央には、幅一杯に貼り付け可能な摩擦具７４が貼り付けられている。この摩擦具７４はプラスチックダンボールで形成されている。
【００２１】
本実施形態の取付機構は、座部３に対し略垂直になるように取り付けられたＬ字金具７と、背部５に設けられた、Ｌ字金具７を挿抜可能な挿抜孔５２と、挿抜孔５２内に設けられた少なくとも２本の略平行な突起部５４であって、Ｌ字金具７の挿抜孔５２への挿抜方向に沿って長尺状に形成された突起部５４と、Ｌ字金具７のうち、挿抜孔５２への差し込み方向の中央部分であって、挿抜孔５２に差し込んだときに、突起部５４に対向する面に設けられた摩擦具７４と、を備える部分である。そして、本実施形態の取付機構では、挿抜孔５２が、摩擦具７４が設けられたＬ字金具７を、嵌挿可能な大きさに形成されている。
【００２２】
本実施形態の取付機構は、摩擦具７４を備えるＬ字金具７を挿抜孔に挿入すれば、摩擦具７４を備えるＬ字金具７が挿抜孔５２に嵌挿される。しかも、挿抜孔５２内には突起部５４が設けられており、摩擦具７４は、挿抜孔５２の内壁面とは主には触れず、突起部５４と主に接触するだけなので、Ｌ字金具７を挿抜孔５２に挿入するときの摩擦具７４と挿抜孔５２との摩擦は小さくて済む。そのため、本実施形態の取付機構を採用した椅子１は、挿抜方向に沿って挿抜孔５２とＬ字金具７とを相対的に移動させれば、背部５を座部３から取り付けることも取り外すこともスムーズに行うことができる。
【００２３】
また、本実施形態の取付機構は、摩擦具７４が、挿抜孔５２への差し込み方向の中央部分に設置されているので、Ｌ字金具７が挿抜孔５２の中で傾こうとすると、Ｌ字金具７が、挿抜孔５２の中で、摩擦具７４を支点に曲がる力が働き、挿抜孔５２の内壁面に強く押し付けられる。一方、背部５を持って椅子を移動させるため背部５をつり上げると、座部３と背部５とがくの字に傾くので、Ｌ字金具７が挿抜孔５２内で傾こうとする。つまり、本発明の取付機構を採用した椅子は、背部を持ち上げれば、Ｌ字金具７が挿抜孔５２の中で挿抜孔５２に内壁面に強く押し付けられるので、座部とともに持ち上げることができる。
【００２４】
したがって、本実施形態の取付機構が採用された椅子１を用いると、背部５を座部３から取り外すことができるので、背部５を座部３から外せば、椅子１越しに行う作業の邪魔にならず、また、椅子１を移動するときには、背部５が座部３から外れないので、座部３を持って椅子を移動させることができる。
【００２５】
本実施形態の椅子１は、背部５を座部３に固定するためのナット、ボルト、ビス等、具体的にはＬ字金具７を背部５に固定するためのナット等が不要になる。
本実施形態の椅子１は、背部５を座部３に固定するためのナット、ボルト、ビス等が不要なので組み立て工程の時間を短縮できる。
【００２６】
本実施形態の椅子１は、背部５を座部３から取り外せるので、背部５を取り外せば、災害時に頭を守る盾として使うことができる。
［他の実施形態］
以上、実施形態について説明したが、特許請求の範囲に記載された発明は、上記実施形態に限定されることなく、種々の形態を採り得ることは言うまでもない。
【００２７】
（１）上記実施形態では、椅子１にＬ字金具７を固定したが、背部５にＬ字金具７を固定してもよい。この場合、挿抜孔５２を座部３に設けてもよい。
（２）上記実施形態では、突起部５４を２つ設けたが、３つあるいはそれ以上設けてもよい。
【００２８】
（３）上記実施形態では、本発明の取付金具に対応する構成としてＬ字金具７を用いたが、Ｌ字金具７に限るものではない。
（４）上記実施形態では、摩擦具７４としてプラスチックダンボールを用いたが、これに限るものではない。
【００２９】
（５）本発明の各構成要素は概念的なものであり、上記実施形態に限定されない。例えば、１つの構成要素が有する機能を複数の構成要素に分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の少なくとも一部を、他の上記実施形態の構成に対して付加、置換等してもよい。
【符号の説明】
【００３０】
１…椅子、３…座部、５…背部、７…Ｌ字金具、４０…脚部、４２…土台、
５０…厚手部、５２…挿抜孔、５４…突起部、５９…クッション、７４…摩擦具。
【図１】
2018089116.tif 000003
【図２】
2018089116.tif 000004
【図３】
2018089116.tif 000005
【図４】
2018089116.tif 000006